(57)【要約】      （修正有）【課題】受光面の照度をリアルタイムで検出し、最適な傾斜角を調整し、受光面が最高の照度に達するようにする移動式ソーラー充電ボードを提供する。【解決手段】太陽電池１０と、太陽電池を固定する充電ボード本体１１と本体の角度を調節可能なブラケットとを備え、充電ボード本体にソーラー充電ボードの受光面の照度を検出する光センサーが設けられ、充電ボード本体にジャンクションボックス１３も設けられ、ジャンクションボックスに２つのクイックスワップシリアルポートが設けられ、クイックスワップシリアルポートが隣接するソーラー充電ボードを電気的に並列接続する。すばやく複数のソーラー充電ボードを並列接続し、パワーに対するユーザーのさまざまなニーズに対応できる。【選択図】図５
0003229248.tif 000002
【実用新案登録請求の範囲】
【請求項１】
太陽電池と、太陽電池を固定するための充電ボード本体を備え、前記充電ボード本体にソーラー充電ボードの受光面の照度を検出するための光センサーが設けられていることを特徴とする移動式ソーラー充電ボード。
【請求項２】
前記充電ボード本体にジャンクションボックスも設けられ、前記ジャンクションボックスに２つのクイックスワップシリアルポートが設けられ、前記クイックスワップシリアルポートが隣接するソーラー充電ボードを電気的に並列に接続するために使用されていることを特徴とする請求項１に記載の移動式ソーラー充電ボード。
【請求項３】
前記ジャンクションボックスにＵＳＢポート、ＴＹＰＥ−Ｃポート及びＤＣポートが設けられ、前記ジャンクションボックスにあるクイックスワップシリアルポート、ＵＳＢポート、ＴＹＰＥ−Ｃポート、ＸＴ６０ポート及びＤＣポートの動作ステータスを表示するためのインジケーターも設けられていることを特徴とする請求項１に記載の移動式ソーラー充電ボード。
【請求項４】
前記光センサーがＵＶ光検出ＩＣとディスプレイを備え、前記ＵＶ光検出ＩＣがジャンクションボックス内に配置され、ジャンクションボックスに設けられたディスプレイを介して照度を表示することを特徴とする請求項２または３に記載の移動式ソーラー充電ボード。
【請求項５】
前記ジャンクションボックスがシェルと、シェル内に設けられた電子部品を備え、前記シェルにＵ字型ハンドルが設けられ、前記ジャンクションボックスがソーラー充電ボードの受光面の上部に固定されていることを特徴とする請求項２に記載の移動式ソーラー充電ボード。
【請求項６】
前記充電ボード本体の遮光面に折りたたみ可能なブラケットが設けられていることを特徴とする請求項１に記載の移動式ソーラー充電ボード。
【請求項７】
前記折りたたみ可能なブラケットの間に斜めブレースと引き込み式クロスブレースを備え、前記斜めブレースの上部が充電ボード本体の遮光面にヒンジで固定され、前記引き込み式クロスブレースの一端が充電ボード本体の遮光面に固定され、他端が斜めブレースの底部に固定されていることを特徴とする請求項１に記載の移動式ソーラー充電ボード。
【請求項８】
前記クロスブレースが柔軟で弾性のある伸縮性材料で作られていることを特徴とする請求項７に記載の移動式ソーラー充電ボード。
【請求項９】
前記斜めブレースの底部にスルーホールが設けられ、前記クロスブレースが前記斜めブレースのスルーホールを通過し、かつ、その端部にクロスブレースの端部がスルーホールから滑り出すことを防ぐための幅広部が設けられていることを特徴とする請求項８に記載の移動式ソーラー充電ボード。
【請求項１０】
前記ソーラー充電ボードにスナップボタンが設けられ、前記スナップボタンのメスボタンがクロスブレースの幅広部にあり、前記スナップボタンのオスボタンが斜めブレースの上の充電ボード本体の遮光面に設けられ、前記スナップボタンが斜めブレースの収納時に、クロスブレースとスナップボタンとのフィットにより斜めブレースを固定するために使用されることを特徴とする請求項９に記載の移動式ソーラー充電ボード。
【考案の詳細な説明】
【技術分野】
【０００１】
本考案は新エネルギー技術分野に関し、特に移動式ソーラー充電ボード／エネルギー貯蔵ボードに関する。
【背景技術】
【０００２】
太陽エネルギーは、クリーンで効率的で無尽蔵の新しいエネルギーとして、エネルギー危機や温室効果、大気汚染などの世界的な問題の解決に役立つ。現在、太陽エネルギーは世界中で広く使用され急速に開発されており、従来の移動可能なソーラーパネルはエネルギー貯蔵に使用される場合、輸送が容易で移動性に優れている特徴がある。
【考案の概要】
【考案が解決しようとする課題】
【０００３】
しかしながら、ソーラーパネルごとのパワーが小さいため、大きな出力パワーを必要とする場合、異なる出力パワーに合わせるために複数のソーラーパネルを並列に接続する必要がある。このような場合、複数の移動式ソーラーパネルを並列に接続するために、追加の回路モジュールを必要とする。実際の取扱では、回路の設置が複雑であるだけでなく、取扱も高度に専門的なことであり実施が困難である。また、従来の移動可能なソーラーパネルを光に向けて配置するとき、経験に応じてソーラーパネルの角度を調整することになり、経験に応じてソーラーパネルを配置するこのような方法は、不正確な判断により、太陽エネルギー貯蔵の効率を低下させる。
【課題を解決するための手段】
【０００４】
本考案は、上記のような問題に鑑みてなされたものであり、従来技術における複数のソーラーパネルの並列接続が複雑であることと、不正確な光の角度に起因する太陽エネルギー貯蔵効率の低下という技術的問題を解決するための移動式ソーラー充電ボードを提供することを目的とする。
【０００５】
上記の目的を達成するために、本考案に係る移動式ソーラー充電ボードは、太陽電池と、太陽電池を固定するための充電ボード本体を備え、前記充電ボード本体にソーラー充電ボードの受光面の照度を検出するための光センサーが設けられている。
【０００６】
また、前記充電ボード本体にジャンクションボックスも設けられ、前記ジャンクションボックスに２つのクイックスワップシリアルポートが設けられ、前記クイックスワップシリアルポートが隣接するソーラー充電ボードを電気的に並列に接続するために使用されている。
【０００７】
また、前記ジャンクションボックスにＵＳＢポート、ＴＹＰＥ−Ｃポート、ＤＣポート及びＸＴ６０ポートが設けられ、前記ジャンクションボックスにクイックスワップシリアルポート、ＵＳＢポート、ＴＹＰＥ−Ｃポート、ＤＣポート及びＸＴ６０ポートの動作ステータスを表示するためのインジケーターも設けられている。
【０００８】
また、前記光センサーがＵＶ光検出ＩＣとディスプレイを備え、前記ＵＶ光検出ＩＣがジャンクションボックス内に配置され、ジャンクションボックスに設けられたディスプレイを介して照度を表示する。
【０００９】
また、前記ジャンクションボックスがシェルと、シェル内に設けられた電子部品を備え、前記シェルにＵ字型ハンドルが設けられ、前記ジャンクションボックスがソーラー充電ボードの受光面の上部に固定されている。
【００１０】
また、前記充電ボード本体の遮光面に折りたたみ可能なブラケットが設けられている。
【００１１】
また、前記折りたたみ可能なブラケットの間に斜めブレースと引き込み式クロスブレースを備え、前記斜めブレースの上部が充電ボード本体の遮光面にヒンジで固定され、前記引き込み式クロスブレースの一端が充電ボード本体の遮光面に固定され、他端が斜めブレースの底部に固定されている。
【００１２】
また、前記クロスブレースが柔軟で弾性のある伸縮性材料で作られている。
【００１３】
また、前記斜めブレースの底部にスルーホールが設けられ、前記クロスブレースが前記斜めブレースのスルーホールを通過し、かつ、その端部にクロスブレースの端部がスルーホールから滑り出すことを防ぐための幅広部が設けられている。
【００１４】
また、前記ソーラー充電ボードにスナップボタンが設けられ、前記スナップボタンのメスボタンがクロスブレースの幅広部にあり、前記スナップボタンのオスボタンが斜めブレースの上の充電ボード本体の遮光面に設けられ、前記スナップボタンが斜めブレースの収納時に、クロスブレースとスナップボタンとのフィットにより斜めブレースを固定するために使用される。
【考案の効果】
【００１５】
本考案に係る移動式ソーラー充電ボードは、ジャンクションボックスにクイックスワップシリアルポートが設けられ、前記クイックスワップシリアルポートが隣接するソーラー充電ボードを電気的に並列に接続するために使用されているため、すばやく複数のソーラー充電ボードを並列に接続し、パワーに対するユーザーのさまざまなニーズに対応できる。
【００１６】
また、光センサーを設置することにより、ソーラー充電ボードの受光面の照度をリアルタイムで検出し、角度調整可能なブラケットを介してソーラー充電ボードの最適な傾斜角を調整し、ソーラー充電ボードの受光面が最高の照度に達するようにする。
【００１７】
本考案に係る移動式ソーラー充電ボードは、折りたたみ可能なブラケットが柔軟で弾性のある伸縮性材料で作られるクロスブレースを備え、クロスブレースの伸縮により、ソーラー充電ボードの傾斜角度を自由に調整し、また、斜めブレースを収納する場合、クロスブレースとスナップボタンとのフィットにより斜めブレースを固定できるため、移動式ソーラー充電ボードの収納と輸送を容易にする。
【００１８】
本考案の実施例または従来技術の技術的な解決策をより明確に説明するために、以下実施例または従来技術の説明において使用される図面について簡単な説明を行う。これらの添付図面は明らかに本考案の実施例に過ぎず、当業者には、創造的な努力なしに、当然本考案のこれらの添付図面に基づいて、他の図面を得ることができる。
【図面の簡単な説明】
【００１９】
【図１】本考案に係る移動式ソーラー充電ボードの構造図である。
【図２】本考案に係る移動式ソーラー充電ボードの使用状況のイメージ図である。
【図３】本考案に係る移動式ソーラー充電ボードの折り畳まれた状態のイメージ図である。
【図４】本考案に係る移動式ソーラー充電ボードのハンドル付きジャンクションボックスの構造図である。
【図５】複数の移動式ソーラー充電ボードを並列に接続するイメージ図である。
【符号の説明】
【００２０】
１０  太陽電池
１１  充電ボード本体
１３  ジャンクションボックス
１３１  クイックスワップシリアルポート
１３２  ＵＳＢポート
１３３  ＴＹＰＥ−Ｃポート
１３４  ＤＣポート
１３５  デジタルディスプレイ
１３６  Ｕ字型ハンドル
１３７  ＸＴ６０ポート
２１  クロスブレース
２１１  幅広部
２２  斜めブレース
２２１  スルーホール
３１  オスボタン
３２  メスボタン
【考案を実施するための形態】
【００２１】
本考案の目的、特徴、利点をより明白かつ理解しやすくするために、以下、本考案の実施形態の図面を参照し、本考案の実施形態における技術的解決策を明確かつ完全に説明する。明らかに、記載された実施形態は、本考案の実施形態の一部にすぎず、すべての実施形態ではない。本考案の実施形態に基づいて、創造的な努力なしに、当業者によって得られる他のすべての実施形態は、本考案の範囲内のものである。
【００２２】
図１−４に示すように、本考案に係る移動式ソーラー充電ボードは、太陽電池１０と、太陽電池を固定するための充電ボード本体１１を備え、前記充電ボード本体１１にソーラー充電ボードの受光面の照度を検出するための光センサーが設けられている。
【００２３】
従来の技術に比べて、本考案に係る移動式ソーラー充電ボードは、光センサー１２によりソーラー充電ボードの受光面の照度を検出し、角度調整可能なブラケットを介してソーラー充電ボードの最適な傾斜角を調整し、ソーラー充電ボードの受光面が最高の照度に達するようにする。
【００２４】
この実施形態では、前記充電ボード本体にジャンクションボックス１３も設けられ、前記ジャンクションボックスに２つのクイックスワップシリアルポート１３１が設けられ、前記クイックスワップシリアルポートが隣接するソーラー充電ボードを電気的に並列に接続するために使用されている。
【００２５】
従来の技術に比べて、本考案に係る移動式ソーラー充電ボードは、ＸＴ３０ポートなどのクイックスワップシリアルポート１３１が設けられているため、すばやく複数のソーラー充電ボードを並列に接続し、パワーに対するユーザーのさまざまなニーズに対応できる。
【００２６】
この実施形態では、前記ジャンクションボックスにＵＳＢポート１３２、ＴＹＰＥ−Ｃポート１３３、ＤＣポート１３４及びＸＴ６０ポート１３７が設けられ、前記ジャンクションボックスにクイックスワップシリアルポート、ＵＳＢポート、ＴＹＰＥ−Ｃポート及びＤＣポートの動作ステータスを表示するためのインジケーターも設けられている。
【００２７】
従来の技術に比べて、本考案に係る移動式ソーラー充電ボードは、設けられたＵＳＢポート、ＴＹＰＥ−Ｃポート、ＤＣポート及びＸＴ６０ポートがさまざまな電子製品の充電に使用されることができ、デジタルディスプレイを介してジャンクションボックスにあるクイックスワップシリアルポート、ＵＳＢポート、ＴＹＰＥ−Ｃポート及びＤＣポートのステータスを表示できる。
【００２８】
この実施形態では、前記光センサーがＵＶ光検出ＩＣとディスプレイ１３５を備え、前記ＵＶ光検出ＩＣがジャンクションボックス内に配置され、ジャンクションボックスに設けられたディスプレイを介して照度を表示する。
【００２９】
この実施形態では、前記ジャンクションボックスがシェルと、シェル内に設けられた電子部品を備え、前記シェルにＵ字型ハンドル１３６が設けられ、前記ジャンクションボックスがソーラー充電ボードの受光面の上部に固定されている。
【００３０】
従来の技術に比べて、本考案に係る移動式ソーラー充電ボードは、ジャンクションボックスのシェルがＵ字型ハンドルを備え、前記Ｕ字型ハンドルがソーラー充電ボードの上部に設置され、ハンドルとしても使用できる。
【００３１】
この実施形態では、前記充電ボード本体の遮光面に折りたたみ可能なブラケットが設けられる。前記折りたたみ可能なブラケットの間に斜めブレース２２と引き込み式クロスブレース２１を備え、前記斜めブレース２２の上部が充電ボード本体の遮光面にヒンジで固定され、前記引き込み式クロスブレース２１の一端が充電ボード本体の遮光面に固定され、他端が斜めブレースの底部に固定されている。
【００３２】
また、前記クロスブレースがゴムバンドなどの柔軟で弾性のある伸縮性材料で作られている。
【００３３】
また、前記斜めブレース２２の底部にスルーホール２２１が設けられ、前記クロスブレース２１が前記斜めブレースのスルーホールを通過し、かつ、その端部にクロスブレースの端部がスルーホールから滑り出すことを防ぐための幅広部２１１が設けられている。
【００３４】
また、前記ソーラー充電ボードにスナップボタンが設けられ、前記スナップボタンのメスボタン３２がクロスブレースの幅広部にあり、前記スナップボタンのオスボタン３１が斜めブレースの上の充電ボード本体の遮光面に設けられ、前記スナップボタンが斜めブレースの収納時に、クロスブレースとスナップボタンとのフィットにより斜めブレースを固定するために使用される。
【００３５】
従来の技術に比べて、本考案に係る移動式ソーラー充電ボードは、折りたたみ可能なブラケットが柔軟で弾性のある伸縮性材料で作られるクロスブレースを備え、クロスブレースの伸縮により、ソーラー充電ボードの傾斜角度を自由に調整し、また、斜めブレースを収納する場合、クロスブレースとスナップボタンとのフィットにより斜めブレースを固定できるため、移動式ソーラー充電ボードの収納と輸送を容易にする。
【００３６】
上記実施形態では、各実施形態の説明に独自の焦点がり、ある実施形態で詳細に説明されていない部分について、他の実施形態の関連する説明を参照されたい。
【００３７】
上記は、本考案により提供される技術的解決策の説明であるが、当業者にとって、本考案の実施形態の考え方に従って、具体的な実施及び適用範囲に変更がある。要約すると、本明細書の内容は、本考案に対する制限として解釈されるべきではない。
【図１】
0003229248.tif 000003
【図２】
0003229248.tif 000004
【図３】
0003229248.tif 000005
【図４】
0003229248.tif 000006
【図５】
0003229248.tif 000007
【手続補正書】
【提出日】令和2年3月16日(2020.3.16)
【手続補正１】
【補正対象書類名】実用新案登録請求の範囲
【補正対象項目名】全文
【補正方法】変更
【補正の内容】
【実用新案登録請求の範囲】
【請求項１】
太陽電池と、太陽電池を固定するための充電ボード本体を備え、前記充電ボード本体にソーラー充電ボードの受光面の照度を検出するための光センサーが設けられていることを特徴とする移動式ソーラー充電ボード。
【請求項２】
前記充電ボード本体にジャンクションボックスも設けられ、前記ジャンクションボックスに２つのクイックスワップシリアルポートが設けられ、前記クイックスワップシリアルポートが隣接するソーラー充電ボードを電気的に並列に接続するために使用されていることを特徴とする請求項１に記載の移動式ソーラー充電ボード。
【請求項３】
前記ジャンクションボックスにＵＳＢポート、ＴＹＰＥ−Ｃポート及びＤＣポートが設けられ、前記ジャンクションボックスにあるクイックスワップシリアルポート、ＵＳＢポート、ＴＹＰＥ−Ｃポート、ＸＴ６０ポート及びＤＣポートの動作ステータスを表示するためのインジケーターも設けられていることを特徴とする請求項２に記載の移動式ソーラー充電ボード。
【請求項４】
前記光センサーがＵＶ光検出ＩＣとディスプレイを備え、前記ＵＶ光検出ＩＣがジャンクションボックス内に配置され、ジャンクションボックスに設けられたディスプレイを介して照度を表示することを特徴とする請求項２または３に記載の移動式ソーラー充電ボード。
【請求項５】
前記ジャンクションボックスがシェルと、シェル内に設けられた電子部品を備え、前記シェルにＵ字型ハンドルが設けられ、前記ジャンクションボックスがソーラー充電ボードの受光面の上部に固定されていることを特徴とする請求項２に記載の移動式ソーラー充電ボード。
【請求項６】
前記充電ボード本体の遮光面にブラケットが設けられていることを特徴とする請求項１に記載の移動式ソーラー充電ボード。
【請求項７】
前記折りたたみ可能なブラケットの間に斜めブレースと引き込み式クロスブレースを備え、前記斜めブレースの上部が充電ボード本体の遮光面にヒンジで固定され、前記引き込み式クロスブレースの一端が充電ボード本体の遮光面に固定され、他端が斜めブレースの底部に固定されていることを特徴とする請求項１に記載の移動式ソーラー充電ボード。
【請求項８】
前記クロスブレースが柔軟で弾性のある伸縮性材料で作られていることを特徴とする請求項７に記載の移動式ソーラー充電ボード。
【請求項９】
前記斜めブレースの底部にスルーホールが設けられ、前記クロスブレースが前記斜めブレースのスルーホールを通過し、かつ、その端部にクロスブレースの端部がスルーホールから滑り出すことを防ぐための幅広部が設けられていることを特徴とする請求項８に記載の移動式ソーラー充電ボード。
【請求項１０】
前記ソーラー充電ボードにスナップボタンが設けられ、前記スナップボタンのメスボタンがクロスブレースの幅広部にあり、前記スナップボタンのオスボタンが斜めブレースの上の充電ボード本体の遮光面に設けられ、前記スナップボタンが斜めブレースの収納時に、クロスブレースとスナップボタンとのフィットにより斜めブレースを固定するために使用されることを特徴とする請求項９に記載の移動式ソーラー充電ボード。
【手続補正書】
【提出日】令和2年6月24日(2020.6.24)
【手続補正１】
【補正対象書類名】実用新案登録請求の範囲
【補正対象項目名】全文
【補正方法】変更
【補正の内容】
【実用新案登録請求の範囲】
【請求項１】
太陽電池と、太陽電池を固定するための充電ボード本体を備え、前記充電ボード本体にソーラー充電ボードの受光面の照度を検出するための光センサーが設けられていることを特徴とする移動式ソーラー充電ボード。
【請求項２】
前記充電ボード本体にジャンクションボックスも設けられ、前記ジャンクションボックスに２つのクイックスワップシリアルポートが設けられ、前記クイックスワップシリアルポートが隣接するソーラー充電ボードを電気的に並列に接続するために使用されていることを特徴とする請求項１に記載の移動式ソーラー充電ボード。
【請求項３】
前記ジャンクションボックスにＵＳＢポート、ＴＹＰＥ−Ｃポート及びＤＣポートが設けられ、前記ジャンクションボックスにあるクイックスワップシリアルポート、ＵＳＢポート、ＴＹＰＥ−Ｃポート、ＸＴ６０ポート及びＤＣポートの動作ステータスを表示するためのインジケーターも設けられていることを特徴とする請求項２に記載の移動式ソーラー充電ボード。
【請求項４】
前記光センサーがＵＶ光検出ＩＣとディスプレイを備え、前記ＵＶ光検出ＩＣがジャンクションボックス内に配置され、ジャンクションボックスに設けられたディスプレイを介して照度を表示することを特徴とする請求項２または３に記載の移動式ソーラー充電ボード。
【請求項５】
前記ジャンクションボックスがシェルと、シェル内に設けられた電子部品を備え、前記シェルにＵ字型ハンドルが設けられ、前記ジャンクションボックスがソーラー充電ボードの受光面の上部に固定されていることを特徴とする請求項２に記載の移動式ソーラー充電ボード。
【請求項６】
前記充電ボード本体の遮光面にブラケットが設けられていることを特徴とする請求項１に記載の移動式ソーラー充電ボード。
【請求項７】
前記ブラケットの間に斜めブレースと引き込み式クロスブレースを備え、前記斜めブレースの上部が充電ボード本体の遮光面にヒンジで固定され、前記引き込み式クロスブレースの一端が充電ボード本体の遮光面に固定され、他端が斜めブレースの底部に固定されていることを特徴とする請求項６に記載の移動式ソーラー充電ボード。
【請求項８】
前記クロスブレースが柔軟で弾性のある伸縮性材料で作られていることを特徴とする請求項７に記載の移動式ソーラー充電ボード。
【請求項９】
前記斜めブレースの底部にスルーホールが設けられ、前記クロスブレースが前記斜めブレースのスルーホールを通過し、かつ、その端部にクロスブレースの端部がスルーホールから滑り出すことを防ぐための幅広部が設けられていることを特徴とする請求項８に記載の移動式ソーラー充電ボード。
【請求項１０】
前記ソーラー充電ボードにスナップボタンが設けられ、前記スナップボタンのメスボタンがクロスブレースの幅広部にあり、前記スナップボタンのオスボタンが斜めブレースの上の充電ボード本体の遮光面に設けられ、前記スナップボタンが斜めブレースの収納時に、クロスブレースとスナップボタンとのフィットにより斜めブレースを固定するために使用されることを特徴とする請求項９に記載の移動式ソーラー充電ボード。